【手続補正書】
【提出日】平成22年5月22日(2010.5.22)
【手続補正１】
【補正対象書類名】特許請求の範囲
【補正対象項目名】全文
【補正方法】変更
【補正の内容】
【特許請求の範囲】
【請求項１】
歯種装置は、
歯牙または歯牙に対応する組織における、時間的、空間的あるいは時空間的な情報を保持する情報手段と、
前記歯牙を歯種により特定し、前記情報手段を歯種毎に保持する配列手段である歯種配列手段と、 
を備えることを特徴とする歯種装置。
【請求項２】
請求項１の歯種装置において
前記歯種配列は、
歯種形態手段（フレーム手段）、
階層手段、
のいづれかひとつ、またはその組み合わせ
を備える事を特徴とする歯種装置。
【請求項３】
請求項１または請求項２におけるいづれかの歯種装置において
前記情報手段は、
記憶手段、演算手段、表示手段など仮想空間情報手段、
試薬手段、培地手段などの実空間情報手段、
のいづれかひとつ、またはその組み合わせ
であることを特徴とする歯種装置。
【請求項４】
請求項１から請求項３におけるいづれかの歯種装置において
前記歯種配列は、歯種の形態（フレーム）を変化させる歯種形態変化手段を
備える事を特徴とする歯種装置。
【請求項５】
請求項１から請求項４におけるいづれかの歯種装置は、
歯牙歯周組織を始めとした口腔組織における微生物などの感染、汚染、汚染物質などの汚
染などの空間的状況を検出、分析する空間分析手段を備える事を特徴とする歯種装置。
【請求項６】
請求項５の歯種装置において、
前記空間分析手段は、
歯牙歯周組織の背景である口腔組織における微生物の常在微生物を検出、分析する背景分析手段、
口腔内の定着、感染、汚染部位から他の部位への拡散を検出する内部拡散検出手段、
口腔外からの微生物による口腔内への拡散（進入）を検出する外部拡散検出手段
のいづれかひとつ、またはその組み合わせである
事を特徴とする歯種装置。
【請求項７】
請求項６の歯種装置において、
前記外部拡散検出手段は、
空気感染を見つける空気感染演算子手段、
咽頭方向からの感染を見つける咽頭方向感染演算子手段、
接触感染を見つける接触感染演算子手段、
院内感染を見つける院内感染演算子手段、
のいづれかひとつまたは、その組み合わせである事を特徴とする歯種装置。
【請求項８】
請求項１から請求項７におけるいづれかの歯種装置は、
微生物間の位相を検出する位相分析手段
を備える事を特徴とする歯種装置。
【手続補正２】
【補正対象書類名】明細書
【補正対象項目名】０００４
【補正方法】変更
【補正の内容】
【０００４】
１〔請求項１の手段〕
請求項１の歯種装置は、
歯牙または歯牙に対応する組織における、時間的、空間的あるいは時空間的な情報を保持する情報手段と、
前記歯牙を歯種により特定し、前記情報手段を歯種毎に保持する配列手段である歯種配列手段と、 
を備えることを特徴とする。
２〔請求項２の手段〕
請求項２の歯種装置は、
前記歯種配列は、
歯種形態手段（フレーム手段）、
階層手段、
のいづれかひとつ、またはその組み合わせ
を備える事を特徴とする。
３〔請求項３の手段〕
請求項３の歯種装置は、
前記情報手段は、
記憶手段、演算手段、表示手段など仮想空間情報手段、
試薬手段、培地手段などの実空間情報手段、
のいづれかひとつ、またはその組み合わせ
であることを特徴とする。
４〔請求項４の手段〕
請求項４の歯種装置は、
前記歯種配列は、歯種の形態（フレーム）を変化させる歯種形態変化手段を
備える事を特徴とする。
５〔請求項５の手段〕
請求項５の歯種装置は、
歯牙歯周組織を始めとした口腔組織における微生物などの感染、汚染、汚染物質などの汚
染などの空間的状況を検出、分析する空間分析手段を備える事を特徴とする。
６〔請求項６の手段〕
請求項６の歯種装置は、
前記空間分析手段は、
歯牙歯周組織の背景である口腔組織における微生物の常在微生物を検出、分析する背景分析手段、
口腔内の定着、感染、汚染部位から他の部位への拡散を検出する内部拡散検出手段、
口腔外からの微生物による口腔内への拡散（進入）を検出する外部拡散検出手段
のいづれかひとつ、またはその組み合わせである
事を特徴とする。
７〔請求項７の手段〕
請求項７の歯種装置は、
前記外部拡散検出手段は、
空気感染を見つける空気感染演算子手段、
咽頭方向からの感染を見つける咽頭方向感染演算子手段、
接触感染を見つける接触感染演算子手段、
院内感染を見つける院内感染演算子手段、
のいづれかひとつまたは、その組み合わせである事を特徴とする。
８〔請求項８の手段〕
請求項８の歯種装置は、
微生物間の位相を検出する位相分析手段
を備える事を特徴とする。
【手続補正３】
【補正対象書類名】明細書
【補正対象項目名】０００５
【補正方法】変更
【補正の内容】
【０００５】
１〔請求項１の作用および効果〕
請求項１の歯種装置は、
歯牙または歯牙に対応する組織における、時間的、空間的あるいは時空間的な情報を保持する情報手段と、
前記歯牙を歯種により特定し、前記情報手段を歯種毎に保持する配列手段である歯種配列手段と、 
を備えることを特徴とするので、
歯種にて特定される情報を観察できる。また個々の歯種の配列による歯種情報のパターンなどから感染、汚染、将来のリスクなどが判明する。さらに空間分析や位相分析などが観察でき、空間分析手段や位相分析手段を適用できる基礎を提供する。
さらにここで、２Ｄや３ＤのTransformation Formの歯種配列を使用するとさらに詳細
な菌バランスや内部拡散、外部拡散の様相が明確に観察できる。さらに背景のコロニー生
成状態により粘膜常在の性質が観察できる。さらに背景菌叢から歯牙歯周組織に特有な菌
叢が分離観察できる場合もある。
などなどの様々な分析、診断を行うための観察、可視化を可能とし、
分析手段、診断手段への数値データの供給を可能とし、分析手段、診断手段の使用を可能とする。
２〔請求項２の作用および効果〕
請求項２の歯種装置は、
前記歯種配列は、
歯種形態手段（フレーム手段）、
階層手段、
のいづれかひとつ、またはその組み合わせ
を備える事を特徴とするので、
隣在や対合などにおける歯種の関係がわかる。
このことにより空間分析、位相分析、力学分析などがモデル化した状態で分析できたり、
また口腔内と同じ歯種関係にて前記分析を始めとして様々な観察、計測、分析、診断や種
々なシミュレーションができる。
空間分析や位相分析を非常に容易にかつ強力にできる基礎を提供する。
また、配列、行列、行列式を容易に形成できるので、ベクトル演算を容易に行える。もち
ろんスカラー演算もできる。また配列の内容を表示すれば、各種歯種情報による歯種の状
態を一目瞭然に観察できる。これは、歯種情報毎に（分離）観察できるし、また任意に指
定した歯種情報を合成し観察できる。これにより病態の診断が非常に容易にできる。
３〔請求項３の作用および効果〕
請求項３の歯種装置は、
前記情報手段は、
記憶手段、演算手段、表示手段など仮想空間情報手段、
試薬手段、培地手段などの実空間情報手段、
のいづれかひとつ、またはその組み合わせ
であることを特徴とするので、
高速、高精度、普遍性をもつ歯種情報を扱える。
実空間にて歯種装置における状態をリアルタイムに観察、分析、経過観察できる。  これにより一例として視覚的にシャーレ内は歯種で区画され
るが、実質的にシャーレ内は培地で連続しており、口腔内より採取した採取物をシャーレ
内の各歯種の培地で培養することで、上顎下顎の対向関係を含めた口腔内の菌バランスの
状態を、一目で判断できる特徴を有する。
４〔請求項４の作用および効果〕
請求項４の歯種装置は、
前記歯種配列は、歯種の形態（フレーム）を変化させる歯種形態変化手段を
備える事を特徴とするので、
実際の口腔内での隣接（隣在）、対向（対合）関係を再現できる。これは抽象化、モデル化したフレームでもよいし、また３次元形状などでのリアルな形状により口腔内と寸分違わない歯種形態で合っても良いし、またその中間で合っても良い。
５〔請求項５の作用および効果〕
請求項５の歯種装置は、
歯牙歯周組織を始めとした口腔組織における微生物などの感染、汚染、汚染物質などの汚
染などの空間的状況を検出、分析する空間分析手段を備える事を特徴とするので、
口腔内、口腔外からの歯種、歯種間などに関する種々な空間分析ができる。
６〔請求項６の作用および効果〕
請求項６の歯種装置は、
前記空間分析手段は、
歯牙歯周組織の背景である口腔組織における微生物の常在微生物を検出、分析する背景分析手段、
口腔内の定着、感染、汚染部位から他の部位への拡散を検出する内部拡散検出手段、
口腔外からの微生物による口腔内への拡散（進入）を検出する外部拡散検出手段
のいづれかひとつ、またはその組み合わせである
事を特徴とするので、
歯種で特定された歯牙または歯周組織に対して、特異的か、非特異的か、そして非特異的なら歯種により特定された部位以外の背景に特異的かなどの背景分析ができる。
内部拡散状況が検出、分析、診断できる。
一例としてこれにより歯種に特異的な病態の広がりが判明するので診断、治療、予防に大きな貢献をなす。
外部環境から口腔内への、また特定の歯種への各種感染経路の特定などができる。
７〔請求項７の作用および効果〕
請求項７の歯種装置は、
前記外部拡散検出手段は、
空気感染を見つける空気感染演算子手段、
咽頭方向からの感染を見つける咽頭方向感染演算子手段、
接触感染を見つける接触感染演算子手段、
院内感染を見つける院内感染演算子手段、
のいづれかひとつまたは、その組み合わせである事を特徴とするので、
空気感染する微生物や汚染物の特定ができる。これにより感染防止などもできる。
消化器、呼吸器あるいは鼻腔が感染源である可能性を示唆できるなどの咽頭方向感染を示唆、診断、治療、予防できる。
一例として食物による感染を分析できる。これにより特定の汚染食物の特定、食事制限ができる。
（特に他医院での）院内感染を示唆する。これにより院内感染防止ができる。
８〔請求項８の作用および効果〕
請求項８の歯種装置は、
微生物間の位相を検出する位相分析手段
を備える事を特徴とする
微生物間の位相分析
ができる。これにより病状の診断が格段に高精度になる。またそれにより投与する薬物が明確となる。
さらにまた、
微生物、汚染、酸濃度、酸化還元度合、微生物、組織などの代謝産物などの位相が判明する。これにより病気の診断、病気の進行具合、感染状況などが診断できる。